(57)【要約】【課題】  測定結果に影響を及ぼすトラブルが生じたときに、測定が開始されてしまうのを防止するとともに、タッチパネルにかかる負担を極力軽減した血液分析装置を提供する。【解決手段】  本発明における血液分析装置は、入力及び画面の表示を行うタッチパネル式の入力／表示装置と、血液から測定試料を調製し、測定試料中の血球から信号を取得する測定動作と洗浄動作とを実行する測定手段と、測定手段が測定可能状態であるか否かを検知する監視手段と、監視手段により、測定手段が測定不可状態であると検知されると、測定手段による測定動作を開始させるスタートボタンが表示されるメイン画面にスタートボタンを表示させないようにする制御部と、を備えてなる。【選択図】  図７
2010281844.tif 000002
【特許請求の範囲】
【請求項１】
入力及び画面の表示を行うタッチパネル式の入力／表示装置と、
血液から測定試料を調製し、測定試料中の血球から信号を取得する測定動作と洗浄動作とを実行する測定手段と、
測定手段が測定可能状態であるか否かを検知する監視手段と、
監視手段により、測定手段が測定不可状態であると検知されると、測定手段による測定動作を開始させるスタートボタンが表示されるメイン画面にスタートボタンを表示させないようにする制御部と、を備えた血液分析装置。
【請求項２】
前記測定不可状態は、洗浄動作が完了していない状態、試薬が不足している状態、及び装置に異常が発生している状態の少なくとも１つの状態を含む、請求項１に記載の血液分析装置。
【請求項３】
前記洗浄動作が完了していない状態は、洗浄動作の開始から所定時間経過していない状態である、請求項２に記載の血液分析装置。
【請求項４】
前記装置に異常が発生している状態は、前記監視手段からの異常信号を前記制御部が受けている状態である、請求項２に記載の血液分析装置。
【請求項５】
前記メイン画面は、測定モードの選択が可能な測定モード選択部を表示する、請求項１〜４のいずれか１項に記載の血液分析装置。
【請求項６】
前記制御部は、監視手段により、測定手段が測定不可状態であると検知されると、メイン画面に測定不可状態を示す文字を表示する、請求項１〜５のいずれか１項に記載の血液分析装置。
【発明の詳細な説明】
【技術分野】
【０００１】
本発明は、血液検査や尿検査といった臨床検査や、トナーや顔料などの品質検査といった工業分野における検査など、各種検査に用いられる分析装置に関するものであり、さらに詳しくは、各種表示を行うための表示装置を備えた分析装置に関する。
【背景技術】
【０００２】
上記のような各種分析装置の中で、例えば血液分析装置においては、基本的な測定項目として、白血球数（ＷＢＣ）、赤血球数（ＲＢＣ）、血小板数（ＰＬＴ）、ヘモグロビン量（ＨＧＢ）及びヘマトクリット値（ＨＣＴ）の５項目が知られている。また、これらのデータから算出される平均赤血球容積（ＭＣＶ）、平均赤血球血色素量（ＭＣＨ）、平均赤血球血色素濃度（ＭＣＨＣ）を測定項目に追加して計８項目の測定をすることもある。ＷＢＣ、ＲＢＣ、ＰＬＴの血球を測定する方法として電気抵抗法、光散乱法が周知である。例えば、電気抵抗法では、検出器、すなわち電流を流した微細孔（オリフィスとしての機能を有する整流素子）に微量定量された血液試料を供給し、この微細孔を通過する際に発生するインピーダンス変化を検出して血球等の粒子数、粒度分布を得る。ＨＧＢを測定する方法として溶血処理した血液試料を吸光度測定する方法が用いられている。ＨＣＴを測定する方法としては、ＲＢＣ測定信号を処理することによって求められることが周知である。
【０００３】
ＷＢＣ、ＲＢＣ、ＰＬＴの血球測定のうち、ＲＢＣは正常検体で４００万個／μｌ程度、ＰＬＴは、２０万個／μｌ程度と個数が１桁の差であり、血球の大きさが異なるため、同じ試料で同時に測定することができる。しかし、ＷＢＣは正常検体で５０００個／μｌ程度と個数がＲＢＣに対しておよそ３桁個数が少ないうえ、血球の大きさが赤血球と同程度のもの多いため、同じ試料で同時に測定することは困難である。そのためＷＢＣ測定の際は、赤血球を溶血処理した試料を用いる。
【０００４】
また、小児等において採血量が充分に得られず血液を充分量確保できない場合あるいは血球数が異常に多い試料を測定する場合を考慮して、通常の測定モード（このモードによる測定を全血モード測定という）のほかに、この血液を希釈して試料を増量してから測定を行い、測定後に演算処理により増量に対する補正を行う希釈測定モード（このモードによる測定を希釈モード測定という。）を実行可能にした血液分析装置が用いられている。このように、複数の測定モードで測定を行うことができる血液分析装置としては、シスメックス株式会社製ＸＥ−２１００などを挙げることができる。
【０００５】
また、調製を行う際に、血液試料のような粘度の高い試料を測定処理数に応じた数に複数定量分取して所定の希釈倍率に希釈処理を行うために定容量流路、ピペット、電磁バルブなどで構成されるサンプリングバルブ、血液試料を調製するミックスチャンバ等が用いられており、これらには必要に応じてモニタ用のセンサ等が取り付けてあり、あるいはタイマーで動作時間を測定している。そしてセンサ等が異常を検出したり、一定時間内に動作が完了しないときにはアラームを発してトラブルが生じていることを測定者に知らせるようにしている。
【０００６】
さらに血液分析装置その他の各種分析装置には、装置の小型化や操作性の向上などの観点から入力操作と出力表示とが行えるタッチパネル式の入力／表示装置を用いたものもある。タッチパネルは、液晶等で構成される画面に感圧センサが取り付けられたものである。そして画面上の特定領域にボタン等のアイコンが表示され、測定者が、そのアイコンの表示されている領域に触れると、それを上記特定領域に対応した感圧センサが感知して信号を発する仕組みになっている。このようなタッチパネル式の入力／表示装置を備えた分析装置には、検体を測定するための動作を開始させるためのスタートボタンを、画面上に表示するものもある。このような分析装置では、分析装置のいずれかの部位にトラブルが生じ、そのままでは次の検体に対する測定動作を開始できない状態や、開始することが好ましくない状態（これらを「測定不可」の状態という）のとき、スタートボタンに触れても入力が無効となるよう制御するものもある。
【発明の概要】
【発明が解決しようとする課題】
【０００７】
表示装置を用いた分析装置を用いて測定を行う場合、血液の各測定項目の測定結果が表示された後、次の測定の準備工程（洗浄工程など）が終了した後に、再び測定結果表示画面をメイン画面すなわちスタートボタンが表示された画面に戻して測定を開始するための入力操作を行うことにより、次の分析を開始するのであるが、分析開始のためにいちいち測定結果表示画面からメイン画面に切り替える操作を行わねばならない。
【０００８】
また前記のように、分析装置のいずれかの部位においてトラブルが生じるなどした結果としてスタートボタンによる入力を無効とする制御がなされる場合には、測定不可の状態であることに気がつかない測定者が、入力が無効になるにもかかわらず、画面上に表示されているスタートボタンを何度も繰り返して押してしまう、ということがあった（いわゆる「空押し」）。このような空押しの回数が過度になると、タッチパネルに負担がかかり、故障原因となる。
【０００９】
そこで本発明は、測定結果に影響を及ぼすトラブルが生じたときに、測定が開始されてしまうのを防止するとともに、タッチパネルにかかる負担を極力軽減した分析装置を提供することを目的とする。
【課題を解決するための手段】
【００１０】
上記課題を解決するためになされた本発明の血液分析装置は、入力及び画面の表示を行うタッチパネル式の入力／表示装置と、血液から測定試料を調製し、測定試料中の血球から信号を取得する測定動作と洗浄動作とを実行する測定手段と、測定手段が測定可能状態であるか否かを検知する監視手段と、監視手段により、測定手段が測定不可状態であると検知されると、測定手段による測定動作を開始させるスタートボタンが表示されるメイン画面にスタートボタンを表示させないようにする制御部と、を備えている。
【００１１】
この発明によれば、分析装置は装置内で駆動している機器の動作を監視手段により監視するようになっている。この監視手段としては、装置内に取り付けられている各種センサ（後述するパネル開閉センサ、ピペット位置センサ、検体検出センサ、検体アダプタ検出センサ、フロートスイッチ、圧力センサ等）やプログラムの処理時間を計測する制御部内蔵タイマー等が含まれる。監視手段が測定に影響を及ぼす異常を検知すると、スタートボタンが表示されるメイン画面上にスタートボタンが表示されないようにする。これにより、測定者はスタートボタンが表示されないので誤って測定を開始することがなくなる。また、スタートボタンがそもそも表示されなくなるので、スタートボタンの空押しもなくなり、タッチパネルにかかる負担が軽減される。
【発明の効果】
【００１２】
本発明によれば、測定結果に影響を及ぼすトラブル等が分析装置に生じたときに、スタートボタンが表示されないようにしたので、測定が開始されてしまうのを防止することができる。また、空押しを防止し、タッチパネルにかかる負担を軽減できる。
【図面の簡単な説明】
【００１３】
【図１】本発明の一実施例である血液分析装置の外観構成を示す図。
【図２】本発明の一実施例である血液分析装置のブロック構成を示す図。
【図３】本発明の一実施例である血液分析装置の動作を説明するフロー図。
【図４】本発明の一実施例である血液分析装置で表示される画面の遷移を示す図。
【図５】メイン画面の一例を示す図（全血モードを指定した状態）。
【図６】メイン画面の一例を示す図（希釈モードを指定した状態）。
【図７】メイン画面の一例を示す図（測定不可状態）。
【図８】測定画面の一例を示す図（測定開始直後）。
【図９】測定画面の一例を示す図（ＷＢＣ測定終了時）。
【図１０】測定画面の一例を示す図（ＲＢＣ測定終了時）。
【図１１】全測定項目（８項目）を表示する測定画面の一例を示す図。
【図１２】測定画面の一例を示す図（ＷＢＣ測定の統計データ表示時）。
【図１３】測定画面の一例を示す図（RＢＣ、ＰＬＴ測定の統計データ表示時）。
【図１４】測定画面の一例を示す図（表示項目を任意設定したとき）。
【発明を実施するための形態】
【００１４】
以下、本発明の分析装置について実施例を用いて説明する。なお、以下の実施例において分析装置は血液分析装置である。またこの分析装置は、各種入力操作と出力表示のためにタッチパネル式の入力／表示装置を用いている。
【００１５】
図１は本発明の一実施例である血液分析装置の外観構成を示す図である。図に示すように、血液分析装置１は１つのハウジング２内に収納され、ハウジング２の前面には測定者が入力を行うとともに出力情報が表示される入力／表示装置３と、測定者が検体試料を装置にセットするときに開かれる検体セットパネル４とが設けられている。検体セットパネル４の上部には検体セットパネル４を開閉するための押しボタン５が設けられている。
【００１６】
また、ハウジング２の内部には、押しボタン５を押したときに検体試料がセットされる検体セット部６、検体セット部６にセットされた試料の検出を行う検出部７、試薬を用いて検体試料を調製したり検体試料を移動したりするための流体制御部８、装置の制御や駆動に必要な制御回路を搭載した基板を取り付ける制御基板部９、装置で使用する各種機器の作動に必要な直流電力（＋１２V）を供給する電源部１０、検出結果を印字するプリンタ部１１が収納されている。
【００１７】
図２は図１の血液分析装置のブロック構成図である。図において電源部１０は商用交流電源から受けた電圧を直流電圧に変換して制御部５００と駆動回路部５０１に供給する。
【００１８】
制御部５００はＣＰＵ，ＲＯＭ，ＲＡＭからなるマイクロコンピュータを備え、駆動回路部５０１はドライバー回路やＩ／Ｏポートなどを備える。入力／表示装置３は液晶ディスプレイ３ａとタッチパネル３ｂとからなり、制御部５００に接続されている。駆動回路部５０１は、パネル開閉センサＪ１，検体検出センサＪ２，検体アダプタ検出センサＪ３，ピペット上位置センサＪ４，ピペット前位置センサＪ５，排液チャンバー（図示せず）内の陰圧を検出する圧力センサＪ６，排液チャンバーＷＣ内の貯液量を検出するフロートスイッチＪ７，発光ダイオード５９を点灯させてフォトダイオード６８の出力を受けるヘモグロビン検出部５０２、電極５８，６７間に直流定電流を通電して電極５８，６７間のインピーダンスの変化を検出する抵抗式検出部５０３、からの出力信号をＡ／Ｄ変換し、制御部５００へ出力する。
【００１９】
制御部５００は駆動回路部５０１からの出力信号とタッチパネル３ｂからの出力信号を受けて所定の処理プログラムによってそれらの信号の処理を行う。そして、その処理結果に基づいて、制御部５００は駆動回路部５０１にピペット上下用モータ４０５，ピペット前後用モータ２０５，シリンジポンプモータＳＴＭ４，シリンジポンプモータＳＴＭ５，陰圧ポンプＰ１，排液ポンプＰ２，エアポンプＰ３，電磁バルブＳＶ１〜ＳＶｎを駆動させると共に、液晶ディスプレイ３ａに表示を行わせ、プリンタ部１１に印字出力をさせるようになっている。
【００２０】
そして、制御部５００はＲＯＭに記憶してある所定のプログラムを用いてＲＯＭに記憶してある情報を元に各種表示画面を液晶ディスプレイ３ａに表示する。これらの各種表示画面のなかには測定を開始するためのスタートボタンが表示されるメイン画面、モード選択ボタンが表示されるモード選択画面、さらには測定項目を設定するための設定画面等が含まれる。なお、本実施例のメイン画面（図４（ａ）、図５、図６）は、スタートボタンとモード選択ボタンとが同時に表示されるようにしてある。
【００２１】
以下に、血液分析装置の分析動作について図３のフロー図を用いて説明し、同時に入力／表示装置３で表示する画面の遷移についても図４を用いて説明する。図３に示すように、まず、血液分析装置の電源が投入され（ｓ１）、所定の準備時間が経過すると（ｓ２）、入力／表示装置３の液晶ディスプレイ３ａに「スタンバイ」という文字を含むメイン画面（図４（ａ））が表示される。このメイン画面にはモード選択ボタンとスタートボタンとが含まれている。
【００２２】
そこで測定者は試料が入っている検体容器を検体セット部６に取り付ける（ｓ４）。次に測定者は全血モードで測定を行うか希釈モードで測定を行うかを選択する（ｓ５）。選択はメイン画面中のモード選択ボタンのいずれかに触れることにより行われる。取り付けた検体容器の試料が全血試料（通常の測定を行うときの試料）である場合には、測定者は入力／表示装置３に表示されているメイン画面中に赤色で表示されている「全血モード」ボタンを触り、希釈試料である場合には黄色で表示されている「希釈モード」ボタンを触る（ｓ５）。
【００２３】
このとき「全血モード」ボタンに触れるとメイン画面中のスタートボタンは赤色になり、「希釈モード」ボタンに触れるとスタートボタンは黄色になる。この時、制御部５００は、ボタンの色を変更する色変更部５００ａ及び該色変更部を制御する色変更制御部５００ｂとして機能している。
【００２４】
続いてメイン画面上に表示されているスタートボタンの色から測定モードを確認しつつスタートボタンを触る（ｓ６）。制御部５００は「全血モード」と「希釈モード」のいずれが選択されているかを判断してそれぞれに応じたプログラムの処理を開始する（ｓ７）。
【００２５】
なお、制御部５００が装置内の各機器のいずれかから異常信号を受けており、測定に影響が及ぶ異常であると判断しているときは、メイン画面中のスタートボタンが消去され、誤ってスタートボタンに触れられないようにしてある。
【００２６】
ここでスタートボタンによる入力に基づき測定動作が開始されるとほぼ同時に、入力／表示装置３が表示する画面はメイン画面（図４（ａ））から測定画面（図４（ｂ））に切り替わる。このときの測定画面には測定項目が表示されているが、各項目の測定結果はまだ得られていないので表示されていない。また、このときに表示される測定項目は、初期設定により、一般に重要であると言われている５項目（ＷＢＣ、ＲＢＣ、ＨＧＢ、ＨＣＴ、ＰＬＴ）にしてある。
【００２７】
「全血モード」が選択されているときは、全血からＲＢＣ測定試料及びＷＢＣ測定試料を調製する（ｓ８、ｓ９）。「希釈モード」が選択されているときは、希釈血液からＲＢＣ測定試料及びＷＢＣ測定試料を調製する（ｓ１６、ｓ１７）。
【００２８】
続いてステップ９（ｓ９）で調製されたＷＢＣ測定用試料を用いてＷＢＣ、ＨＧＢ（ヘモグロビン濃度）の測定が実行され（ｓ１０）、測定結果が得られるとまずこの２項目の測定結果のデータが表示中の測定画面に表示される（図４（ｃ））（ｓ１１）。
【００２９】
さらにステップ８（ｓ８）で調製されたＲＢＣ試料を用いてＲＢＣの測定が行われ（ｓ１２）、ＰＬＴ（血小板数）、ＨＣＴ（ヘマトクリット値）およびその他の測定項目が算出され（ｓ１３）、それらの測定結果及び算出結果が測定画面中に表示される（ｓ１４）。このとき測定画面には大きな文字サイズで５項目の測定結果が表示されている（図４（ｄ））。
【００３０】
続いて次回測定の準備のために洗浄が始まる（ｓ１５）。洗浄中に８項目表示のためのタッチパネル操作がなされたかが監視され（ｓ１８）、８項目表示の入力操作がなされると文字サイズが小さい８項目表示画面（図４（ｅ））に移る（ｓ１９）。一旦、８項目表示画面（図４（ｅ））に移ると、画面右上に表示がなされた「戻る」ボタンに触れるまで８項目表示が表示される（ｓ２０）。「戻る」ボタンに触れるとメイン画面（図４（ａ））に切り替わる（ｓ２１）。もし、ステップ１８（ｓ１８）において入力操作がなされない場合は、そのまま５項目表示画面（図４（ｄ））を表示し続けて洗浄終了を待つ（ｓ２２）。
【００３１】
洗浄が終了するとメイン画面（図４（ａ））に切り替わり（ｓ２１）、再びステップ３（ｓ３）に戻り、次の試料の測定に備える。つまり洗浄が終了するまでに８項目表示のための操作がなされなかったときは、８項目表示の必要がないものとして、自動的にメイン画面（図４（ａ））に切り替わる。このメイン画面（図４（ａ））への自動的な切り替えをするか否かを決定するにあたり、制御部５００は、洗浄が終了したか否かを判断する必要がある。本実施例では、制御部５００は分析装置各部に備えられたセンサ等からの信号により洗浄の終了を判断する。なお、別途タイマーを設け、洗浄開始から一定時間が経過した場合に洗浄が終了したとみなし、上記のように自動的に５項目表示画面（図４（ｄ））をメイン画面（図４（ａ））に切り替えるよう制御部５００が制御するよう構成することも可能である。また、洗浄終了と判断された時から一定時間が経過した場合に、上記のように自動的に５項目表示画面（図４（ｄ））をメイン画面（図４（ａ））に切り替えるよう制御部５００が制御するよう構成することも可能である。
【００３２】
次に、メイン画面、測定画面の表示内容について説明する。
【００３３】
メイン画面
図５、図６はメイン画面の表示内容を示す図であり、図５は全血モード選択時、図６は希釈モード選択時の画面状態を示している。図において５１１は測定モード領域であり、５１２は押ボタンの表示がなされた全血モード選択領域、５１４は同様に押しボタンの表示がなされた希釈モード選択領域である。５１６はスタートボタンの表示がなされたスタートボタン領域、５１８はプリンタの紙送りを行うためのＰ／Ｆ領域、５２０は保守、設定、校正等の各種メニューを選択するためのメニュー領域、５２２は装置の精度管理を行うためのQＣ領域、５２４は既に測定済みの試料に関する測定結果表示画面を呼び出すための測定結果領域、５２６はシャットダウン動作（洗浄後に装置を停止する）を始めるためのシャットダウン領域、５２８は希釈モードで必要な分注を行うための分注領域である。
【００３４】
これらの各領域にはそれぞれ対応する位置にタッチパネルが取り付けられており、指等で触る（押す）ことによりそれぞれの機能が入力され、各機能は予め制御部５００に記憶されているプログラムにより実行されることにより処理される。５１０はサンプル番号を入力する領域であり、図示しないキーボード（ポップアップメニューとして表示されるものでもよい）から数値等が入力される。
【００３５】
測定モードの選択について説明する。図５に示すように全血モード領域５１２、希釈モード領域５１４にはそれぞれ赤色の「全血ボタン」と黄色の「希釈ボタン」とが描かれている。「全血ボタン」と「希釈ボタン」とは、ボタンの色を異なるようにしてあり、色彩による識別作用を利用して間違いを減らすようにしている。
そして、例えば「全血ボタン」を触るとこれが押されて押し込まれたように表示され、他方「希釈ボタン」は押されておらず飛び出して見えるように表示される。逆に「希釈ボタン」を触るとこれが押しこまれ、「全血ボタン」が飛び出しているように表示される。これにより２次元平面であるタッチパネル上のボタンであっても視覚的には立体表示され、いずれが選択されているかが明確になるので測定モードの間違いが生じにくくなる。
【００３６】
なお、「全血ボタン」と「希釈ボタン」との下部に「Ｗｈｏｌｅ Ｂｌｏｏｄ」「Ｐｒｅ−Ｄｉｌｕｔｅｄ」のように全血または希釈の意味を示す表示を同時に行うようにしてさらに間違いを防ぐように表示してある。
【００３７】
さらに、選択された測定モードのボタンの色に応じてスタート領域５１６にあるスタートボタンの色を連動して変更するようにしている。例えば本実施例では、「全血ボタン」は赤色、「希釈ボタン」は黄色で表示されているが、「全血ボタン」が押されて全血モードが選択された場合はスタートボタンも赤色となり、「希釈ボタン」が押されて希釈モードが選択された場合はスタートボタンも黄色に変化する。なお、「全血ボタン」は、常時赤色にて表示されてもよく、あるいは、全血モードが選択されているときのみ赤色にて表示されてもよい。同様に「希釈ボタン」は、常時黄色にて表示されてもよく、あるいは、希釈モードが選択されているときのみ黄色にて表示されてもよい。いずれにせよ、「全血ボタン」・「希釈ボタン」が同時に同じ色で表示されなければよい。なお、各ボタンの色は、色彩的に区別しやすい色が選択されることが好ましい。
【００３８】
メイン画面では、スタートボタンに触れることにより測定がスタートすることになる。しかしながら、洗浄が終了していない場合、試薬が不足している場合、装置がトラブル状態の場合に、測定動作がスタートされてしまうとさらなる故障の原因となりかねない。そこで制御部５００で駆動回路部５０１等からの信号を監視することにより試薬不足や装置状態を把握するようにして、測定準備が完了しておればスタートボタン領域５１６に「スタートボタン」を表示させ、準備が完了しておらず測定不可状態であるときやトラブル状態のときは図７に示すようにスタートボタン領域５１６には「スタートボタン」そのものを表示しないようにすることで、不用意にスタートボタンを押すことをなくすとともにスタートできない状態であることが明確にわかるようにしている。
【００３９】
制御部５００が監視する対象には、例えば洗浄工程の終了情報、図２に示すパネル開閉センサＪ１、検体検出センサＪ２等の各種センサ出力に基づく装置トラブル情報、が含まれる。なお、スタートボタンを表示しないようにすると、そこに表示可能なスペースができるので測定不可状態であることを示す大きな文字での表示を行うようにしてもよい。
【００４０】
測定画面
次に、測定中に表示される画面について説明する。図８はスタートボタンを押して測定が開始された直後の測定画面、図９はＷＢＣ測定用試料による測定結果が得られた後の測定画面、図１０はＲＢＣ測定用試料による測定結果が得られて測定が終了した直後の測定画面を示す。測定中の画面である図８、図９には色の変化により測定の進行状況を示すグラフィック表示（三角形表示）５３０が下段に表示されている。
【００４１】
この測定画面には、基本となる５項目（ＷＢＣ、ＲＢＣ、ＰＬＴ、ＨＧＢ、ＨＣＴ）が文字サイズを大きくして表示してある。測定開始直後は測定結果が得られていないので単に測定項目（およびその単位）が表示されている。測定開始後、約２０秒経過するとＷＢＣ測定用試料による測定が終了するので、図８に示すようにこの測定によって得られるＷＢＣ、ＨＧＢのデータが直ちに表示される。その後約８０秒経過するとＲＢＣ測定用試料による測定が終了するので、図１０に示すように５項目の結果が表示される。
【００４２】
ここで、図１０の右下に設けられたタッチボタンである「→」ボタン（「進むボタン」という）５３２に触れることにより、さらにＭＣＶ（平均赤血球容積）、ＭＣＨ（平均赤血球血色素量）、ＭＣＨＣ（平均赤血球血色素濃度）の各項目を含む図１１に示すような８項目の測定結果表示画面が表示される。この画面は本血液分析装置で測定するすべての項目が表示されるのであるが、項目数が多いため文字サイズは小さくしてある。
【００４３】
なお、図１１においてさらに進むボタン５３２に触れることにより、図１２、図１３に示すようなＷＢＣ測定試料やＲＢＣ測定試料の測定結果に関する各種統計データ画面を表示させるようにしてもよい。また、図１１（または図４（ｅ））の８項目表示の状態から図１０（または図４（ｄ））の５項目表示の状態に戻ることができるよう設定されてもよい。
【００４４】
その後、図１１、図１２、図１３の右上に表示されている「戻る」ボタン５３４に触れることによりメイン画面に戻ることとなる。
【００４５】
測定者によっては、８項目表示（さらには統計データ画面）まで検討せずに、次の測定に移りたい場合がある。そこで図１０の画面に移ってから洗浄工程が終了するまでの約２０秒の間未操作状態が続いた場合、即ちその間に８項目表示を見るための「進むボタン」５３２の操作がなかった場合、図１１のデータを見る必要がないものとして自動的にメイン画面に戻る。
【００４６】
なお、上記実施例では測定開始後に基本５項目を表示するように設定してあるが、測定可能な項目のうち特に欲する任意の項目のみを予め登録できるようにし、８項目を表示する画面とは別に任意に選択した項目のみを表示する画面を設けてもよい。
【００４７】
図１４はＷＢＣとＲＢＣだけを第1測定画面として登録したときの画面である。任意の項目のみを登録する操作は、図５、図６のメニュー領域５２０に触れて「設定」の画面を呼び出し、その「設定」画面から測定項目を指定するプログラムを実行させることにより行われる。このプログラムでは表示項目数に応じて文字サイズを予め定めてあり（例えば2項目までは２０ポイント、5項目までは１６ポイント等）、項目数に応じて文字サイズが決定されるようにしている。
【００４８】
上記実施例は血液分析装置に関するものであるが、尿分析装置なども含む各種臨床検査用の分析装置や、トナーや顔料などの品質検査といった工業分野における検査用の分析装置などにも応用できる。
【符号の説明】
【００４９】
５００：制御部
５０１：駆動回路部
５１１：測定モード領域
５１２：全血モードボタン領域
５１４：希釈モードボタン領域
５１６：スタートボタン領域
５２０：メニュー領域
【図１】
2010281844.tif 000003
【図２】
2010281844.tif 000004
【図３】
2010281844.tif 000005
【図４】
2010281844.tif 000006
【図５】
2010281844.tif 000007
【図６】
2010281844.tif 000008
【図７】
2010281844.tif 000009
【図８】
2010281844.tif 000010
【図９】
2010281844.tif 000011
【図１０】
2010281844.tif 000012
【図１１】
2010281844.tif 000013
【図１２】
2010281844.tif 000014
【図１３】
2010281844.tif 000015
【図１４】
2010281844.tif 000016